(57)【要約】【課題】緊急警報放送を提示しつつ装置の消費電力を低減可能なデジタル放送受信装置を実現する。【解決手段】デジタル放送受信装置は、分離部（１２）、検知部（１３）、提示制御部（１４）及びユーザインタフェース（１５）を備えている。分離部（１２）は、選局された放送チャンネルを通じて伝送されるデータを文字データと非文字データとに分離する。検知部（１３）は、緊急警報放送を受信したことを検知する。提示制御部（１４）は、分離部（１２）によって分離された各種データをユーザインタフェースを介して提示する。また、提示制御部（１４）は、検知部（１３）によって緊急警報放送の受信が検知されてから所定期間内に所定の指示がないとき、それまでの提示状態から分離部（１２）によって分離された当該緊急警報放送の文字データの提示に切り替える。【選択図】図１
2008022382.tif 000002
【特許請求の範囲】
【請求項１】
デジタル放送を受信可能な装置であって、
選局された放送チャンネルを通じて伝送されるデータを文字データと非文字データとに分離する分離部と、
緊急警報放送を受信したことを検知する検知部と、
前記分離部によって分離された各種データをユーザインタフェースを介して提示する提示制御部とを備え、
前記提示制御部は、前記検知部によって緊急警報放送の受信が検知されてから所定期間内に所定の指示がないとき、それまでの提示状態から前記分離部によって分離された当該緊急警報放送の文字データの提示に切り替える
ことを特徴とするデジタル放送受信装置。
【請求項２】
請求項１に記載のデジタル放送受信装置において、
前記所定の指示は、提示状態継続の指示である
ことを特徴とするデジタル放送受信装置。
【請求項３】
請求項１に記載のデジタル放送受信装置において、
前記提示制御部は、前記検知部によって緊急警報放送の受信が検知されたとき、当該緊急警報放送のコンテンツを提示する
ことを特徴とするデジタル放送受信装置。
【請求項４】
請求項３に記載のデジタル放送受信装置において、
前記提示制御部は、前記検知部によって緊急警報放送の受信が検知されたとき、それまでのコンテンツの提示から前記緊急警報放送のコンテンツの提示に切り替える
ことを特徴とするデジタル放送受信装置。
【請求項５】
請求項１に記載のデジタル放送受信装置において、
前記提示制御部は、コンテンツを提示している場合であって前記検知部によって緊急警報放送の受信が検知されたとき、前記分離部によって分離された当該緊急警報放送の文字データを提示する
ことを特徴とするデジタル放送受信装置。
【発明の詳細な説明】
【技術分野】
【０００１】
本発明は、デジタル放送受信装置に関し、特にバッテリー等を電源として動作するデジタル放送受信装置に関する。
【背景技術】
【０００２】
大地震や津波などの災害発生時には、放送事業者等から緊急警報放送が行われる。緊急警報放送を受信するためには、テレビジョン放送受信機能を備えた装置が必要である。緊急警報放送を受信したとき、装置の電源状態を確認し、電源が切れている状態であれば自動的に電源を入れる技術が公知である（例えば、特許文献１参照）。
【０００３】
近年、地上デジタル放送等の普及によりデジタルテレビジョン放送受信機能を備えた携帯電話端末等でも緊急警報放送を受信することが可能となっている。
【特許文献１】特許第３１９９７２５号
【発明の開示】
【発明が解決しようとする課題】
【０００４】
携帯電話端末は持ち運んで使用することを前提としているため、バッテリー等を電源として動作する。緊急警報放送を受信したとき自動的に電源を入れて緊急警報放送のコンテンツを提示しても、ユーザがこれを視聴していなければ電力を無駄に消費して、端末の動作可能時間が短くなってしまう。
【０００５】
上記問題に鑑み、本発明は、特にバッテリー駆動されるデジタル放送受信装置について、緊急警報放送を提示しつつ消費電力の低減を実現することを課題とする。
【課題を解決するための手段】
【０００６】
上記課題を解決するために本発明が講じた手段は、デジタル放送受信装置として、選局された放送チャンネルを通じて伝送されるデータを文字データと非文字データとに分離する分離部と、緊急警報放送を受信したことを検知する検知部と、分離部によって分離された各種データをユーザインタフェースを介して提示する提示制御部とを備えたものとする。ここで提示制御部は、前記検知部によって緊急警報放送の受信が検知されてから所定期間内に所定の指示がないとき、それまでの提示状態から前記分離部によって分離された当該緊急警報放送の文字データの提示に切り替えるものとする。
【０００７】
これによると、緊急警報放送の受信が検知されてから所定の期間内に所定の指示がなければ、緊急警報放送の文字データのみが提示されるようになる。このため、提示処理に大きな消費電力を要する非文字データを提示する必要がなくなり、大幅に消費電力を低減することができる。
【０００８】
具体的には、所定の指示は、提示状態継続の指示であるものとする。
【０００９】
好ましくは、提示制御部は、検知部によって緊急警報放送の受信が検知されたとき、当該緊急警報放送のコンテンツを提示するものとする。
【００１０】
これによると、緊急警報放送を受信したとき、迅速に緊急警報放送のコンテンツをユーザに提示することができる。
【００１１】
より具体的には、提示制御部は、検知部によって緊急警報放送の受信が検知されたとき、それまでのコンテンツの提示から前記緊急警報放送のコンテンツの提示に切り替えるものとする。
【００１２】
また、好ましくは、提示制御部は、コンテンツを提示している場合であって、前記検知部によって緊急警報放送の受信が検知されたとき、分離部によって分離された当該緊急警報放送の文字データを提示するものとする。
【００１３】
これによると、コンテンツを提示中に緊急警報放送を受信したとき、当該コンテンツを提示したまま、迅速に緊急警報放送の文字データをユーザに提示することができる。
【発明の効果】
【００１４】
以上、本発明によると、緊急警報情報を提示しつつデジタル放送受信装置の消費電力を低減することができる。
【発明を実施するための最良の形態】
【００１５】
以下、本発明を実施するための最良の形態について、図面を参照しながら説明する。図１は、本発明に係るデジタル放送受信装置の構成の一例を示す。本装置１は、アンテナ１０、チューナ１１、分離部１２、検知部１３、提示制御部１４、ユーザインタフェース１５及び入力部１６を備えたポータブルテレビジョンである。なお、本装置１は、バッテリーを電源として動作可能であり、地上デジタル放送のいわゆるワンセグサービスを受信する。
【００１６】
チューナ１１は、アンテナ１０によって受信された放送波を通じて伝送される信号を受けて、提示すべきチャンネル帯域の信号を選局し、当該選局した信号を復調してデータパケットｄｐを抽出する。分離部１２は、データパケットｄｐを文字データと、映像データ及び音声データ等の非文字データとに分離する。
【００１７】
検知部１３は、緊急警報放送を受信したことを検知する。具体的には、データパケットｄｐに緊急警報放送であることを示すフラグが含まれている場合、緊急警報放送の受信を検知したことを示す検知信号ｓ１を出力する。入力部１６は、ユーザのキー操作等を受け、操作があったことを示す信号ｓ２を出力する。
【００１８】
提示制御部１４は、分離部１２によって分離された各種データをデコードして、ユーザインタフェース１５を介して提示する。ユーザインタフェース１５は、液晶画面やスピーカ等を含む。提示制御部１４は、検知信号ｓ１を受けると、緊急警報放送を受信したことをバナー、アイコン、ポップアップメニュー等でユーザに提示して、現在の提示状態を継続するか否かの指示を促す。そして、検知信号ｓ１を受けてから所定期間内に信号ｓ２の受信がなかった場合には、それまで提示していたものに替えて分離部１２によって分離された緊急警報放送の文字データのみを提示する。
【００１９】
例えば、本装置１の電源が切れている状態である場合、提示制御部１４は、検知信号ｓ１を受けて本装置１の電源を入れる。そして、緊急警報放送のコンテンツをユーザに提示するとともに、緊急警報放送のコンテンツの提示を継続するか否かの指示をユーザに促す。提示される緊急警報放送のコンテンツは、映像データ及び音声データのいずれか一方であってもよいし、両方であってもよい。また、同時に文字データを提示してもかまわない。そして、検知信号ｓ１を受けてから所定期間内に緊急警報放送のコンテンツの提示継続の指示を示す信号ｓ２の受信がなければ、それまで提示していた緊急警報放送のコンテンツから緊急警報放送の文字データの提示に切り替える。
【００２０】
一方、通常番組のコンテンツの提示中に検知信号ｓ１を受けたとき、提示制御部１４は、それまでの通常番組のコンテンツの提示から緊急警報放送のコンテンツの提示に切り替えてもよいし、それまでの通常番組のコンテンツを提示したまま緊急警報放送の文字データを字幕として提示してもよい。なお、ユーザから入力部１６を介して入力される指示は、上記のものに限らず、現在の提示状態から緊急警報放送の文字データの提示への切り替えを禁止するもの等、任意に設定可能である。
【００２１】
次に、図２のフローチャートを参照しながら、本装置１の動作について説明する。緊急警報放送を受信したことが検知されると（Ｓ１１）、映像データ及び音声データのいずれかを提示中であるか否かが判定される（Ｓ１２）。ステップＳ１２においてＡＶ（Audio Visual）コンテンツの提示中でないと判定された場合（Ｓ１２のＮＯ肢）、緊急警報放送の映像データ及び音声データのいずれかが提示され（Ｓ１３）、さらに、緊急警報放送の文字データが字幕として提示される（Ｓ１４）。一方、通常番組等のＡＶコンテンツの提示中であると判定された場合（Ｓ１２のＹＥＳ肢）、当該ＡＶコンテンツの提示は継続されたまま、ステップＳ１４の処理が行われる。
【００２２】
そして、緊急警報放送を受信したことが提示され、現在の提示状態を継続するか否かの指示をユーザに促す（Ｓ１５）。ユーザから提示状態継続の指示がなければ（Ｓ１６のＮＯ肢）、緊急警報放送を受信してから所定時間経過後に（Ｓ１８）、提示中のＡＶコンテンツの出力が停止される。すなわち、それまでの提示状態から緊急警報放送の文字データのみの提示に切り替えられて（Ｓ１９）、処理が終了する。一方、ユーザから提示状態継続の指示があった場合（Ｓ１６のＹＥＳ肢）、ＡＶコンテンツの提示が継続されたまま（Ｓ１７）、処理が終了する。
【００２３】
なお、ステップＳ１４を省略して、ステップＳ１９において提示中のＡＶコンテンツに替えて緊急警報放送の文字データを提示してもよい。
【００２４】
以上、本実施形態によると、緊急警報放送を受信してから所定時間内にユーザによって提示状態継続の指示がないとき、それまでの提示状態から緊急警報放送の文字データの提示に切り替えられる。したがって、提示した緊急警報放送のコンテンツをユーザが視聴していない場合等には、消費電力が少ない緊急警報放送の文字データのみが提示されるため装置の電力消費を抑制することができる。
【００２５】
なお、デジタル放送受信装置１が提示するコンテンツは、リアルタイムで放送されている通常番組のコンテンツに限らず、当該装置１が図示しない記録媒体や一時記憶領域を備えている場合にはこれらに蓄積されている音楽コンテンツや映像コンテンツであってもよい。
【００２６】
なお、デジタル放送受信装置１は、ワンセグサービス以外のデジタルテレビジョンサービスやデジタルラジオ放送を受信するものであってもよい。また、緊急警報放送を受信したとき、直ちに映像データ及び音声データの提示を停止して、緊急警報放送の文字データのみを提示するようにしてもよい。
【産業上の利用可能性】
【００２７】
本発明に係るデジタル放送受信装置は、緊急警報放送を提示しつつ消費電力を低減することができるため、デジタル放送受信機能を備えた携帯電話機や、ポータブルテレビジョン等に有用である。
【図面の簡単な説明】
【００２８】
【図１】本発明に係るデジタル放送受信装置の構成の一例を示す図である。
【図２】図１に示したデジタル放送受信装置の動作の一例を示す図である。
【符号の説明】
【００２９】
１  デジタル放送受信装置
１２  分離部
１３  検知部
１４  提示制御部
１５  ユーザインタフェース
【図１】
2008022382.tif 000003
【図２】
2008022382.tif 000004